(57)【要約】【課題】持ち運びに便利で、カメラ位置を機械的に微調整出来る簡便なカメラ取付台を提供する。【解決手段】ネジ本体９とカメラ位置調整具１から構成されている。カメラ位置調整具１にカメラ取付台１０，カメラ取り付け用ネジ２，カメラ位置決めナット５，と突起３を設ける。カメラをカメラ取付台のカメラ取付用ネジとカメラ位置決めナット５で固定した後に、カメラ位置調整具１とネジ本体９をセッとしてネジ本体９を回すと突起３がネジ本体９によって持ち上げられてカメラ取付台１０の角度αが変化する。ネジ本体９を回し、カメラ取付台１０の角度αを微調整しながらカメラ位置を被写体位置に合わせてセットするカメラ位置決め具。【選択図】図３
0003124756.tif 000002
【実用新案登録請求の範囲】
【請求項１】
ネジ本体とカメラ位置調整具から構成されて、カメラ位置調整具にはネジ本体と嵌合するネジ、カメラ取付台、カメラ取付ネジ、突起、切り欠きを設け、突起を押すとカメラ取付台の端部が支点となり、突起の動きに応じて、カメラ取付台の角度が変化する構造で、ネジ本体とカメラ位置調整具をセットしてネジ本体を回すとネジ本体で突起を動かし、カメラ取付台の角度が変化し、カメラ位置を被写体に合わせるカメラ位置決め具。
【考案の詳細な説明】
【技術分野】
【０００１】
本考案は、カメラの撮影位置をセットするためのカメラ位置決め具に関するものである。
【背景技術】
【０００２】
従来は撮影者が被写体を見ながらカメラで撮影位置を合わせる。又は三脚やカメラ取付具を用いて写真撮影が行われていた。
【特許文献１】特開２００５−３４４７５５
【特許文献２】特開２０００−１７０９９３
【特許文献３】実開平７−１８１００
【特許文献４】実用第３１１６０９０号
【考案の開示】
【考案が解決しようとする課題】
【０００３】
従来技術ではカメラを被写体位置に合わすために簡便で機械的にネジ調整にて微調整しながらセットできるカメラ取付具がなかった。
【０００４】
従来は三脚を使用する場合は嵩んだり、重い三脚を持ち運ばなければならなかった。その欠点を解決するために、嵩張らないで、軽くて、持ち運びに便利なものを提供するものである。
【課題を解決するための手段】
【０００５】
本考案はカメラの撮影位置をきめるためにカメラ取付台の突起とネジ本体とが連動して動く構造で、ネジ本体を回すとカメラ取付台の角度が変化し、カメラ取付台の角度の変化に応じてカメラ位置をセットする。
【考案の効果】
【０００６】
軽量で、嵩張らないカメラ位置決め具を携帯することで従来の重くて嵩張る三脚を持ち運ばなくてもよい。
【０００７】
カメラ位置決め具のネジ本体の調整にて機械的にカメラ角度を微調整しながらカメラをセットできる。
【０００８】
本考案のカメラ位置調整具に合ったネジを使う場合は、そのネジにカメラ位置調整具
を合わせればよいのでカメラ位置調整具の携行だけでカメラ位置決め具とすることができる。例えばペットボトルのネジが本考案のネジ本体と同一のネジである場合は図４に示すようにペットボトルのネジに本考案のカメラ位置調整具を取り付けてカメラ位置決め具とすることができる。
【考案を実施するための最良の形態】
【０００９】
カメラ位置調整具をネジ本体に嵌合し、カメラをカメラ取付台にセットし、ネジ本体を回すことによって、カメラ取付台の角度を微調整しながらカメラ位置をセットする。
【実施例】
【００１０】
本考案は図１に示すように切り欠き４、取り付け用ネジ２，を設けたカメラ位置調整具１、ネジ本体９，ネジ支持棒６，台７より構成されている。
【００１１】
図２はカメラを取り付けた図１のＡ?Ａ断面を示す。カメラ位置調整具１を支持し、ネジ本体９を回すと図３に示すようにネジ本体が突起３を押し上げてカメラ取付台のαが変化する。
【００１２】
図３のようにネジ本体９によって突起３が押し上げられるとカメラ取付台１０の端部がカメラ取付台の支点１３となりカメラ取付台１０の角度αが変わり、ネジ本体９を微調整しながら被写体に合うようにカメラ位置をセットする。
【００１３】
図１の位置決め目安線８はカメラをカメラ取付台１０にセットするための目安線でこの線に平行にカメラをセットするとカメラ位置は図３のＸ、直角にセットするとカメラ位置は図３のＹとなる。
【００１４】
図１は本考案の実施例で台７に鉄板を使えば磁石を介して自動車のボンネット等鉄部に本体をセット出来る。又台７に重りを加えること等によって本体を安定させることができる。
【００１５】
ネジ支持棒６を伸縮性の棒を使うことによって高さの調整、あるいは蛇腹状のバネ棒、又は柔軟材等を使用することによってカメラ位置調整の自由度を増すことができる。
【００１６】
本考案のカメラ位置調整具１は樹脂製の一体化されたもの、又はカメラ位置調整具１に図５のようにバネ１１を取付けたり、カメラ取付台１０を分離したものをカメラ位置調整具に取り付けることもできる。
【００１７】
図４は水の入ったペットボトル１２にカメラ位置調整具を取り付けた使用例である。
【産業上の利用可能性】
【００１８】
三脚の代わりに、又安価で、携行に便利で、手軽な商品として、又プレミアム商品としても活用出来る。
【図面の簡単な説明】
【００１９】
【図１】本考案の斜視図。
【図２】図１のＡ−Ａ断面図。
【図３】本考案の使用例でネジを締め込み上蓋が傾斜する状態図。
【図４】カメラ位置調整具をペットボトルに取り付けた例。
【図５】カメラ位置調整具を分割、カメラ取付台にバネを使用した例。
【符号の説明】
【００２０】
１：カメラ位置調整具
２：カメラ取り付け用ネジ
３：突起
４：切り欠き
５：カメラ位置決めナット
６：ネジ支持棒
７：台
８：位置決め目安線
９：ネジ本体
１０：カメラ取付台
１１：バネ
１２：ペットボトル
１３：カメラ取付台の支点
Ｘ：カメラを位置決め目安線に平行にセットした場合
Ｙ：カメラを位置決め目安線に直角にセットした場合
Ｚ：カメラ  
【図１】
0003124756.tif 000003
【図２】
0003124756.tif 000004
【図３】
0003124756.tif 000005
【図４】
0003124756.tif 000006
【図５】
0003124756.tif 000007
【手続補正書】
【提出日】平成18年6月21日(2006.6.21)
【手続補正１】
【補正対象書類名】実用新案登録請求の範囲
【補正対象項目名】請求項１
【補正方法】変更
【補正の内容】
【請求項１】
ネジ本体（９）を有する部材に装着され、該ネジ本体（９）と螺合するカメラ位置調整具（１）を含むカメラ位置決め具であって、前記カメラ位置調整具（１）はネジ本体（９）と螺合するネジ部と該ネジ部上部に設けられた斜傾可能なカメラ取付台（１０）と、前記ネジ部とカメラ取付台とを連結する支点（１３）とからなり、前記カメラ取付台（１０）の表面にはカメラ取り付け用ネジ（２）、裏面には前記ネジ本体（９）と当接し得る突起（３）を設けてなることを特徴とするカメラ位置決め具。
【手続補正２】
【補正対象書類名】明細書
【補正対象項目名】全文
【補正方法】変更
【補正の内容】
【考案の詳細な説明】
【技術分野】
【０００１】
本考案は、カメラの撮影位置をセットするためのカメラ位置決め具に関するものである。
【背景技術】
【０００２】
従来は撮影者が被写体を見ながらカメラで撮影位置を合わせる。又は三脚やカメラ取付具を用いて写真撮影が行われていた。
【特許文献１】特開２００５−３４４７５５
【特許文献２】特開２０００−１７０９９３
【特許文献３】実開平７−１８１００
【特許文献４】実用第３１１６０９０号
【考案の開示】
【考案が解決しようとする課題】
【０００３】
従来技術ではカメラを被写体位置に合わすために簡便で機械的にネジ調整にて微調整しながらセットできるカメラ取付具がなかった。
【０００４】
従来は三脚を使用する場合は嵩んだり、重い三脚を持ち運ばなければならなかった。その欠点を解決するために、嵩張らないで、軽くて、持ち運びに便利なものを提供するものである。
【課題を解決するための手段】
【０００５】
本考案はカメラの撮影位置をきめるためにカメラ取付台１０の裏面にネジ本体９に当接する突起３を設け、該ネジ本体９を動かす突起３が連動して動く構造で、ネジ本体９を回すとカメラ取付台１０はカメラ取付台の支点１３を中心に斜傾する。カメラ取付台１０の斜傾角度に応じてカメラ位置をセットする。
【考案の効果】
【０００６】
軽量で、嵩張らないカメラ位置決め具を携帯することで従来の重くて嵩張る三脚を持ち運ばなくてもよい。
【０００７】
カメラ位置調整具１とネジ本体９を螺合して機械的にカメラ角度を微調整しながらカメラをセットできる。
【０００８】
本考案のカメラ位置調整具１に合ったネジを使う場合は、そのネジにカメラ位置調整具１を螺合すればよいのでカメラ位置調整具１の携行だけでカメラ位置決め具とすることができる。例えばペットボトルのネジが本考案のネジ本体９と同一のネジである場合は図４に示すようにペットボトルのネジに本考案のカメラ位置調整具１を取り付けてカメラ位置決め具とすることができる。
【考案を実施するための最良の形態】
【０００９】
カメラ位置調整具１をネジ本体９に螺合し、カメラをカメラ取付台１０にセットし、ネジ本体９を回すことによって、カメラ取付台９の角度αを微調整しながらカメラ位置をセットする。
【実施例】
【００１０】
本考案は図１に示すように切り欠き４，カメラ取り付け用ネジ２，を設けたカメラ位置調整具１、ネジ本体９，ネジ支持棒６，台７より構成されている。
【００１１】
図２はカメラを取り付けた図１のＡ―Ａ断面を示す。カメラ位置調整具１を支持し、ネジ本体９を回すと図３に示すようにネジ本体９が突起３を押し上げてカメラ取付台９のαが変化してカメラ取付台９の斜傾角度が変化する。
【００１２】
図３のようにネジ本体９によって突起３が押し上げるとてカメラ取付台１０の端部がカメラ取付台の支点１３となりカメラ取付台１０の角度αが変わり、ネジ本体９を微調整しながら被写体に合うようにカメラ位置をセットする。
【００１３】
図１の位置決め目安線８はカメラをカメラ取付台１０にセットするための目安線で、カメラ位置決めナット５を締めてカメラを固定してセットする。位置決め目安線８に平行にカメラをセットするとカメラ位置は図３のＸ、直角にセットするとカメラ位置は図３のＹとなる。
【００１４】
図１は本考案の実施例で台７に鉄板を使えば磁石を介して自動車のボンネット等鉄部に本体をセット出来る。又台７に重りを加えること等によって本体を安定させることができる。
【００１５】
ネジ支持棒６を伸縮性の棒を使うことによって高さの調整、あるいは蛇腹状のバネ棒、又は柔軟材等を使用することによってカメラ位置調整の自由度を増すことができる。
【００１６】
本考案のカメラ位置調整具１は樹脂製の一体化されたもの、又はカメラ位置調整具１に図５のようにバネ１１を取付けたり、カメラ取付台１０を分離したものをカメラ位置調整具に取り付けることもできる。
【００１７】
図４は水の入ったペットボトル１２にカメラ位置調整具１を取り付けた使用例である。
【産業上の利用可能性】
【００１８】
三脚の代わりに、又安価で、携行に便利で、手軽な商品として、又プレミアム商品としても活用出来る。
【図面の簡単な説明】
【００１９】
【図１】本考案の斜視図。
【図２】図１のＡ−Ａ断面図。
【図３】本考案の使用例でネジを締め込み上蓋が傾斜する状態図。
【図４】カメラ位置調整具をペットボトルに取り付けた例。
【図５】カメラ位置調整具を分割、カメラ取付台にバネを使用した例。
【符号の説明】
【００２０】
１：カメラ位置調整具
２：カメラ取り付け用ネジ
３：突起
４：切り欠き
５：カメラ位置決めナット
６：ネジ支持棒
７：台
８：位置決め目安線
９：ネジ本体
１０：カメラ取付台
１１：バネ
１２：ペットボトル
１３：カメラ取付台の支点
Ｘ：カメラを位置決め目安線に平行にセットした場合
Ｙ：カメラを位置決め目安線に直角にセットした場合
Ｚ：カメラ